(57)【要約】【課題】回転式つるを具えた眼鏡フレームの提供。【解決手段】回転式つるを具えた眼鏡フレームは、レンズフレーム（１）及び二つのつる（２ａ、２ｂ）を包含し、そのうち、各つる（２ａ、２ｂ）はヒンジ（３ａ、３ｂ）でレンズフレーム（１）に接続されている。つる（２ａ、２ｂ）とレンズフレーム（１）はほぼ同じ曲線を有する。つるはヒンジの円筒体の回転軸の周りを回転して折り畳める。ヒンジ（３ａ、３ｂ）の設計により、つる（２ａ、２ｂ）はそれ自身の縦軸の周りを回転して扁平な折り畳み位置に折り畳まれ、且つレンズフレーム（１）とほぼ同じ曲線を形成する。【選択図】図３
0003180554.tif 000002
【実用新案登録請求の範囲】
【請求項１】
眼鏡フレームにおいて、レンズフレーム（１）と二つのつるを包含し、各該つるは一つの主つる部品（２ａ、２ｂ）及び一つの補助つる部品（４ａ、４ｂ）を包含し、つるは、ヒンジ（３ａ、３ｂ）を介してレンズフレームと接続され、つるは折り畳まれてレンズフレーム後方に置き入れられて扁平状態を形成し、さらに主つる部品（２ａ、２ｂ）が回転させられてレンズフレーム（１）とほぼ同じ曲線をなすことを特徴とする、眼鏡フレーム。
【請求項２】
請求項１記載の眼鏡フレームにおいて、該ヒンジは円柱形ヒンジ装置（６）を具え、主つる部品（２ａ、２ｂ）は該円柱形ヒンジ装置の縦軸（Ａ２）の周りを回転することを特徴とする、眼鏡フレーム。
【請求項３】
請求項１又は２記載の眼鏡フレームにおいて、該主つる部品（２ａ、２ｂ）は表面が補助つる部品（４ａ、４ｂ）の対応表面と交互に作用する表面を有し、これにより、主つる部品（２ａ、２ｂ）は定位を保持し且つ外部の影響を受ける時だけ、円柱形ヒンジ装置（６）の縦軸（Ａ２）の周りを回転することを特徴とする、眼鏡フレーム。
【請求項４】
請求項１から３のいずれか記載の眼鏡フレームにおいて、該主つる部品（２ａ、２ｂ）は表面が補助つる部品（４ａ、４ｂ）は中空円筒形とされることを特徴とする、眼鏡フレーム。
【請求項５】
請求項１から３のいずれか記載の眼鏡フレームにおいて、該つるは主つる部品（２）、補助つる部品（４）及び円柱形ヒンジ装置を包含し、そのうち、主つる部品、補助つる部品及び円柱形ヒンジ装置は緊密に係止されることを特徴とする、眼鏡フレーム。
【請求項６】
請求項５記載の眼鏡フレームにおいて、該主つる部品（２）は補助つる部品（４）に対して、円柱形ヒンジ装置の周りを回転することを特徴とする、眼鏡フレーム。
【考案の詳細な説明】
【技術分野】
【０００１】
本考案は一種の回転式つるを具えた眼鏡フレームに関する。
【背景技術】
【０００２】
一般に眼鏡は、そのつるが折り畳まれて収納される。眼鏡のレンズ及びレンズフレームは、いずれも外向きに湾曲する円弧形を呈するため、折り畳み状態の時には、相当に大きな空間を必要とする。
【０００３】
特許文献１、特許文献２及び特許文献３に開示されている眼鏡は、その特徴が、つるが一つの軸線の周りを、つるとレンズフレームの間の夾角の半分の角度を回転できることにある。それに記載されているレンズフレームとつるの曲線はほぼ同じである。
【０００４】
特許文献４は一種の回転式眼鏡ヒンジを開示し、そのうちのつるは、二つの軸線の周りを回転した後に、眼鏡の前側周縁に折り畳まれる。
【０００５】
これらの眼鏡の欠点は、つるの回転がヒンジ内で発生することにある。このため、ヒンジ部品が相当に複雑となり、且つ製造コストが高くなる。
【０００６】
特許文献５にはもう一種の折り畳み眼鏡が開示され、このような眼鏡は板バネを係止することにより扁平状に折り畳める。このような眼鏡の欠点は、眼鏡を装着する時に、該板バネが係止を発生しうることである。
【先行技術文献】
【特許文献】
【０００７】
【特許文献１】フランス特許第ＦＲ７５１４３１号
【特許文献２】英国特許第ＧＢ２１６８４９９号
【特許文献３】欧州特許第０４２６００６号
【特許文献４】欧州特許第ＥＰ０９７８７５０号
【特許文献５】欧州特許第ＥＰ１７８５７６３号
【考案の概要】
【考案が解決しようとする課題】
【０００８】
本考案の目的は、さらに発展させた回転式つるを具えた眼鏡フレームを提供することにあり、それはヒンジがつるの回転に影響を与えないことに重点があり、また、つるが単一軸線の周りを回転させられた後に、極めて扁平となり折り畳んで空間を節約できるものとされる。
【課題を解決するための手段】
【０００９】
請求項１の考案は、眼鏡フレームにおいて、レンズフレーム（１）と二つのつるを包含し、各該つるは一つの主つる部品（２ａ、２ｂ）及び一つの補助つる部品（４ａ、４ｂ）を包含し、つるは、ヒンジ（３ａ、３ｂ）を介してレンズフレームと接続され、つるは折り畳まれてレンズフレーム後方に置き入れられて扁平状態を形成し、さらに主つる部品（２ａ、２ｂ）が回転させられてレンズフレーム（１）とほぼ同じ曲線をなすことを特徴とする、眼鏡フレームとしている。
請求項２の考案は、請求項１記載の眼鏡フレームにおいて、該ヒンジは円柱形ヒンジ装置（６）を具え、主つる部品（２ａ、２ｂ）は該円柱形ヒンジ装置の縦軸（Ａ２）の周りを回転することを特徴とする、眼鏡フレームとしている。
請求項３の考案は、請求項１又は２記載の眼鏡フレームにおいて、該主つる部品（２ａ、２ｂ）は表面が補助つる部品（４ａ、４ｂ）の対応表面と交互に作用する表面を有し、これにより、主つる部品（２ａ、２ｂ）は定位を保持し且つ外部の影響を受ける時だけ、円柱形ヒンジ装置（６）の縦軸（Ａ２）の周りを回転することを特徴とする、眼鏡フレームとしている。
請求項４の考案は、請求項１から３のいずれか記載の眼鏡フレームにおいて、該主つる部品（２ａ、２ｂ）は表面が補助つる部品（４ａ、４ｂ）は中空円筒形とされることを特徴とする、眼鏡フレームとしている。
請求項５の考案は、請求項１から３のいずれか記載の眼鏡フレームにおいて、該つるは主つる部品（２）、補助つる部品（４）及び円柱形ヒンジ装置を包含し、そのうち、主つる部品、補助つる部品及び円柱形ヒンジ装置は緊密に係止されることを特徴とする、眼鏡フレームとしている。
請求項６の考案は、請求項５記載の眼鏡フレームにおいて、該主つる部品（２）は補助つる部品（４）に対して、円柱形ヒンジ装置の周りを回転することを特徴とする、眼鏡フレームとしている。
【考案の効果】
【００１０】
本考案の眼鏡フレームはレンズフレームと二つのつるを包含し、各つるはヒンジを介してレンズフレームに連接される。該レンズフレームは光学及び有色レンズの両者に適用される。該レンズフレームは、閉合式フレーム或いは複数のブラケットで構成され得て、レンズを該ヒンジに接続する。これらつるとレンズフレームの曲線はほぼ同じである。
【００１１】
各つるは二つの部分を包含する。ある実施例では、該つるは、中空円筒形の補助つる部品及び主つる部品を包含する。この二つの部品は、ヒンジ円筒体に接続される。そのうち、補助つる部品はヒンジ柱体に接続され並びに所定の位置に固定される。補助つる部品の扁平部分と主つる部品の扁平表面は緊密に接合される。
【００１２】
主つる部品はヒンジを包囲し、並びに挿入方式でヒンジと接続される。ネジによる接続を使用せず、また溶接或いはハンダ等の材料による接合方式を使用していない。ヒンジ軸体は円柱形とされ、主つる部品にその本体の軸線のまわりを回転させるが、主つる部品は未回転時には定位を保持する。その折り畳み機能はつるの回転に影響を与えない。
【００１３】
つるとヒンジ間の連接は、分離可能でこの二つの部分を損傷しない。
レンズ、つる及びヒンジは、金属、炭素或いはプラスチックのような異なる材料を用いて形成され、並びに全て或いは局部がコーティングされ得る。
【００１４】
このような回転式つるを具えた眼鏡フレームは、その長所は製造と関係部品の組立が容易であり、必要なメインテナンスが極めて少なく且つ常に強固に保持され、並びに挿入型の特徴を有し、フレームと材料接合の方法、たとえば、溶接、ハンダ付けを実行する必要がないことにある。
【００１５】
各部分の構造と製造は明らかに容易であり、ヒンジ部分の折り畳みがつるの回転に影響を与えない。
【００１６】
つるは折り畳み或いは展開位置にある時、いずれも回転可能である。また、つるは正常位置或いは回転位置にある時、いずれも折り畳み可能である。
【図面の簡単な説明】
【００１７】
【図１】本考案の概要表示図であり、つるが正常着用時の展開位置にある状態を示す。
【図２】本考案の概要表示図であり、つるが折り畳み位置にあるが未回転の状態を示す。
【図３】本考案の概要表示図であり、つるが折り畳み位置にあり且つ既に回転させられた状態を示す。
【図４】本考案のヒンジと円柱体の立体外観図であり、そのうち、すでに補助つる部品が取付けられている。
【図５】本考案のヒンジの立体外観図であり、そのうち、すでにつるが取付けられている。
【考案を実施するための形態】
【００１８】
本考案の技術内容、構造特徴、達成する目的を詳細に説明するため、以下に実施例を挙げ並びに図面を組み合わせて説明する。
【００１９】
図１から分かるように、本考案の眼鏡フレームは、レンズフレーム（１）及び二つのつる（２ａ、２ｂ）を有する。つる（２ａ、２ｂ）は、ヒンジ（３ａ、３ｂ）を介してレンズフレーム（１）に接続される。フレームが展開される時、すなわち、正常方式で着用される時、つるは頭部の形状に符合する。
【００２０】
つる（２ａ、２ｂ）はヒンジ（３ａ、３ｂ）の回転軸Ａ１の周りを回転する。こうして、つるが折り畳み位置に置かれる。
【００２１】
さらにつる（２ａ、２ｂ）はその縦軸Ａ２の周りを回転させられる時、図３に示されるように、つるの曲線がレンズフレーム１と同じ湾曲方向となるように回転させられる。
【００２２】
つるは、二つの部品に分けられる。この二つの部品は、主つる部品（２）とヒンジ（３）接近する中空円筒形の補助つる部品（４）を包含する。補助つる部品（４）は、ヒンジ（３）を包含し、並びにヒンジ円筒体（８）と接続される。補助つる部品（４）はヒンジ（３）と接続されず、ヒンジ（３）の正常操作により設定された位置に保持される。
【００２３】
主つる部品（２）はヒンジ（３）の接続端に挿嵌され、該接続端の形状は円柱体（６）とされる。つるは非静態で円柱体に接続される。主つる部品（２）は円柱体（６）の縦軸の周りを回転する。
【００２４】
主つる部品（２）の一表面は中空円筒形の補助つる部品（４）と接続される。これらの表面の形状は、主つる部品（２）を定位に保持させる。ただし、外部の影響により、主つる部品（２）は円柱形ヒンジの縦軸の周りを回転させられ得る。
【００２５】
主つる部品（２）は補助つる部品（４）の円筒体側表面と緊密に接続される。この方式により、ヒンジ（３）、補助つる部品（４）及び主つる部品（２）は単一ユニットを形成する。このユニットは回転軸の周りを回転して、つるを折り畳み位置に折り畳むことができる。
【符号の説明】
【００２６】
１  レンズフレーム
２  つる（主つる部品）
２ａ、２ｂ  つる（主つる部品）
３  ヒンジ
３ａ、３ｂ  ヒンジ
４  補助つる部品
４ａ、４ｂ  補助つる部品
６  円柱形ヒンジ装置
８  ヒンジ円筒体
Ａ１  回転軸
Ａ２  縦軸
【図１】
0003180554.tif 000003
【図２】
0003180554.tif 000004
【図３】
0003180554.tif 000005
【図４】
0003180554.tif 000006
【図５】
0003180554.tif 000007
【手続補正書】
【提出日】平成24年10月24日(2012.10.24)
【手続補正１】
【補正対象書類名】明細書
【補正対象項目名】０００９
【補正方法】変更
【補正の内容】
【０００９】
請求項１の考案は、眼鏡フレームにおいて、レンズフレーム（１）と二つのつるを包含し、各該つるは一つの主つる部品（２ａ、２ｂ）及び一つの補助つる部品（４ａ、４ｂ）を包含し、つるは、ヒンジ（３ａ、３ｂ）を介してレンズフレームと接続され、つるは折り畳まれてレンズフレーム後方に置き入れられて扁平状態を形成し、並びに主つる部品（２ａ、２ｂ）は該ヒンジ（３ａ、３ｂ）の周りを回転してレンズフレーム（１）とほぼ同じ曲線をなすことを特徴とする、眼鏡フレームとしている。
請求項２の考案は、請求項１記載の眼鏡フレームにおいて、該ヒンジは円柱形ヒンジ装置（６）を具え、主つる部品（２ａ、２ｂ）は該円柱形ヒンジ装置の縦軸（Ａ２）の周りを回転することを特徴とする、眼鏡フレームとしている。
請求項３の考案は、請求項１又は２記載の眼鏡フレームにおいて、該主つる部品（２ａ、２ｂ）は表面が補助つる部品（４ａ、４ｂ）の対応表面と交互に作用する表面を有し、これにより、主つる部品（２ａ、２ｂ）は定位を保持し且つ外力を受ける時だけ、円柱形ヒンジ装置（６）の縦軸（Ａ２）の周りを回転することを特徴とする、眼鏡フレームとしている。
請求項４の考案は、請求項１から３のいずれか記載の眼鏡フレームにおいて、該補助つる部品（４ａ、４ｂ）は中空円筒形とされることを特徴とする、眼鏡フレームとしている。
請求項５の考案は、請求項１から３のいずれか記載の眼鏡フレームにおいて、該つるは主つる部品（２）、補助つる部品（４）及び円柱形ヒンジ装置を包含し、そのうち、主つる部品、補助つる部品及び円柱形ヒンジ装置は緊密に係止されることを特徴とする、眼鏡フレームとしている。
請求項６の考案は、請求項５記載の眼鏡フレームにおいて、該主つる部品（２）は補助つる部品（４）に対して、円柱形ヒンジ装置の周りを回転することを特徴とする、眼鏡フレームとしている。
【手続補正２】
【補正対象書類名】明細書
【補正対象項目名】００２４
【補正方法】変更
【補正の内容】
【００２４】
主つる部品（２）の一表面は中空円筒形の補助つる部品（４）と接続される。これらの表面の形状は、主つる部品（２）を定位に保持させる。ただし、外力の影響により、主つる部品（２）は円柱形ヒンジの縦軸の周りを回転させられ得る。
【手続補正３】
【補正対象書類名】実用新案登録請求の範囲
【補正対象項目名】全文
【補正方法】変更
【補正の内容】
【実用新案登録請求の範囲】
【請求項１】
眼鏡フレームにおいて、レンズフレーム（１）と二つのつるを包含し、各該つるは一つの主つる部品（２ａ、２ｂ）及び一つの補助つる部品（４ａ、４ｂ）を包含し、つるは、ヒンジ（３ａ、３ｂ）を介してレンズフレームと接続され、つるは折り畳まれてレンズフレーム後方に置き入れられて扁平状態を形成し、並びに主つる部品（２ａ、２ｂ）は該ヒンジ（３ａ、３ｂ）の周りを回転してレンズフレーム（１）とほぼ同じ曲線をなすことを特徴とする、眼鏡フレーム。
【請求項２】
請求項１記載の眼鏡フレームにおいて、該ヒンジは円柱形ヒンジ装置（６）を具え、主つる部品（２ａ、２ｂ）は該円柱形ヒンジ装置の縦軸（Ａ２）の周りを回転することを特徴とする、眼鏡フレーム。
【請求項３】
請求項１又は２記載の眼鏡フレームにおいて、該主つる部品（２ａ、２ｂ）は表面が補助つる部品（４ａ、４ｂ）の対応表面と交互に作用する表面を有し、これにより、主つる部品（２ａ、２ｂ）は定位を保持し且つ外力を受ける時だけ、円柱形ヒンジ装置（６）の縦軸（Ａ２）の周りを回転することを特徴とする、眼鏡フレーム。
【請求項４】
請求項１から３のいずれか記載の眼鏡フレームにおいて、該補助つる部品（４ａ、４ｂ）は中空円筒形とされることを特徴とする、眼鏡フレーム。
【請求項５】
請求項１から３のいずれか記載の眼鏡フレームにおいて、該つるは主つる部品（２）、補助つる部品（４）及び円柱形ヒンジ装置を包含し、そのうち、主つる部品、補助つる部品及び円柱形ヒンジ装置は緊密に係止されることを特徴とする、眼鏡フレーム。
【請求項６】
請求項５記載の眼鏡フレームにおいて、該主つる部品（２）は補助つる部品（４）に対して、円柱形ヒンジ装置の周りを回転することを特徴とする、眼鏡フレーム。